(57)【要約】      （修正有）【課題】釣りの最中の一時的に使用していない状況のときに、釣り仕掛けが絡まらないように確実に保持し、そして、再度使用するときには簡単に釣り仕掛けを取り外すことができる釣り仕掛け用収納具を提供する。【解決手段】底面１１と、前記底面１１を囲む立設壁１２と、上方に開口部１３を有する容器本体１と、前記底面１１に設置され、前記開口部１３に向かって突設された複数の棒状部材２１を備えたり、さらに、それらに加えて前記立設壁１２の内側面に、磁性体３が固設されたりすることを特徴とする釣り仕掛け用収納具。【選択図】図１
2018198584.tif 000002
【特許請求の範囲】
【請求項１】
底面と、前記底面を囲む立設壁と、上方に開口部を有する容器本体と、
前記底面に設置され、前記開口部に向かって突設された複数の棒状部材を備えることを特徴とする釣り仕掛け用収納具。
【請求項２】
前記立設壁の内側面に、磁性体が固設されたことを特徴とする請求項１に記載の釣り仕掛け用収納具。
【請求項３】
前記容器本体が、内部に収容された液体を漏洩する隙間を有しないことを特徴とする請求項１又は請求項２に記載の釣り仕掛け用収納具。
【請求項４】
前記棒状部材がその基部側で固設された基材を介して、前記底面に設置されていることを特徴とする請求項１から請求項３のいずれかに記載の釣り仕掛け用収納具。
【発明の詳細な説明】
【技術分野】
【０００１】
本発明は、投げ釣りやサビキ釣りなどに使用され、釣針と釣針に取り付けられた幹糸を有する釣り仕掛けを収納するために使用される釣り仕掛け用収納具に関する。
【背景技術】
【０００２】
従来、釣針と釣針に取り付けられた幹糸を有し、投げ釣りやサビキ釣りに使用される釣り仕掛けを、使用していないときに、釣針や幹糸が絡まらないように収納することに苦労している。
【０００３】
そこで、それら釣り仕掛けを使用していないときに、釣針や幹糸が絡まらないように収納するための器具が種々知られており、剣山のような複数の突起を有する部材に、釣針や幹糸を絡ませることにより、釣針同士、幹糸同士、又は釣針と幹糸が絡まらないように収納する器具が知られている。
【０００４】
例えば、特許文献１には、一の面に多数の櫛歯状の突起物有する一のカバー片と、そのカバー片と同様の他のカバー片を突起物が向かい合うように接合一体化して接合面に仕掛けを収納する仕掛け収納具が開示されている。
【先行技術文献】
【特許文献】
【０００５】
【特許文献１】特開２００３−２０４７４６号公報
【発明の概要】
【発明が解決しようとする課題】
【０００６】
しかしながら、特許文献１に記載の仕掛け収納具では、釣りを完全に終えて釣り仕掛けを収納するときには、釣針同士、幹糸同士、又は釣針と幹糸が絡まらないように収納することができたとしても、釣りの最中の一時的に使用していない状況のときには再度その仕掛けを使用するためには、二つのカバー部材を引き離す作業を行わなければならず、作業が面倒であるという課題があった。
【０００７】
また、特許文献１に記載の仕掛け収納具のうち、一のカバー片だけを用いて、釣りの最中の一時的に使用していない状況のときに収納したとしても、風が吹いたり足で蹴とばしたりすることにより、一のカバー片から釣り仕掛けが離れてしまうおそれがあった。
【０００８】
そこで、本発明は、釣りの最中の一時的に使用していない状況のときに、釣り仕掛けが絡まらないように確実に保持し、そして、再度使用するときには簡単に釣り仕掛けを取り外すことができる釣り仕掛け用収納具を提供することを目的とする。
【課題を解決するための手段】
【０００９】
〔１〕すなわち、本発明は、底面と、前記底面を囲む立設壁と、上方に開口部を有する容器本体と、前記底面に設置され、前記開口部に向かって突設された複数の棒状部材を備えることを特徴とする釣り仕掛け用収納具である。
【００１０】
〔２〕そして、前記立設壁の内側面に、磁性体が固設されたことを特徴とする前記〔１〕に記載の釣り仕掛け用収納具である。
【００１１】
〔３〕そして、前記容器本体が、内部に収容された液体を漏洩する隙間を有しないことを特徴とする前記〔１〕又は前記〔２〕に記載の釣り仕掛け用収納具である。
【００１２】
〔４〕そして、前記棒状部材がその基部側で固設された基材を介して、前記底面に設置されていることを特徴とする前記〔１〕から前記〔３〕のいずれかに記載の釣り仕掛け用収納具である。
【発明の効果】
【００１３】
本発明の釣り仕掛け用収納具によれば、釣りの最中の一時的に使用していない状況のときに、釣り仕掛けが絡まらないように確実に保持し、そして、再度使用するときには簡単に釣り仕掛けを取り外すことができる。
【図面の簡単な説明】
【００１４】
【図１】本発明の釣り仕掛け用収納具を示す斜視図である。
【図２】本発明の釣り仕掛け用収納具を示す平面図である。
【図３】本発明の釣り仕掛け用収納具の使用状態を示す斜視図である。
【図４】本発明の釣り仕掛け用収納具の使用状態を示す平面図である。
【発明を実施するための形態】
【００１５】
以下、本発明に係る釣り仕掛け用収納具に関する実施形態について図面を参照して詳しく説明する。なお、以下に説明する実施形態は、本発明を実施するために好ましい具体例であるから、技術的に種々の限定がなされているが、本発明は、以下の説明において特に発明を限定する旨が明記されていない限り、これらの形態に限定されるものではない。
【００１６】
容器本体１は、底面１１と、底面１１を囲む立設壁１２を有し、上方に開口部１３を備える部材であり、上方が開口している有底箱状である。容器本体１の内部に、主たる糸である幹糸４３と幹糸４２から種々分岐した枝糸４２と枝糸４２の端部に取り付けられた釣針４１を有する釣り仕掛け４を収納すると、風が吹いても、立設壁１２が盾となり風を遮断するので、その釣り仕掛け４が風に煽られて絡まることはない。なお、本実施形態で、容器本体１は、上方に開口し内部が空洞である略直方体の形状を有しているが、他の実施形態において、外形が四角形でない多角形の形状を有してもよいし、有底円筒状や有底楕円筒状などの形状を有していてもよい。
【００１７】
また、容器本体１は、底面１１と、底面１１を囲む立設壁１２が密着又は一体成型されているために隙間が存在せず、内部に水や海水等の液体を収容してもそれら液体が漏洩しない構造を有している。これにより、容器本体１の内部に水や海水等の液体を収容することができるので、これら液体が棒状部材２１に係止させた釣り仕掛け４の釣針４１、枝糸４２や幹糸４３を抑える重石の役割をして、風が吹いたり容器本体１に足等でぶつけたりしても釣針４１や幹糸４３が動かず絡まないようにすることができ、一方で、再度使用するときには、釣り仕掛け４をそのまま引き上げれば使用することができるので非常に簡便に釣りを再開することができる。
【００１８】
突起体２は、一方向に向かって突設された複数の棒状部材２１と、その棒状部材２１の基部側で固設された平板状の基材２２を有する部材である。釣針４１、枝糸４２と幹糸４３を有する釣り仕掛け４を棒状部材２１の隙間に載置させることによって、それぞれが複雑に交差しないように保持し、一時的に使用しないときには釣針４１、枝糸４２と幹糸４３が絡まらないようにすることができ、また、再度使用するときには、釣り仕掛け４を引き上げるだけで釣りを再開することができる。釣針４１、枝糸４２と幹糸４３を有する釣り仕掛け４を棒状部材２１の隙間に載置させて保持させるときには、釣り仕掛け４をそのまま複数の棒状部材２１の間に下ろしていけば、自然と釣針４１、枝糸４２と幹糸４３が複数の棒状部材２１の間に配設されて保持されるようになる。そして、釣り仕掛け４は棒状部材２１の隙間に保持されているので、釣り仕掛け４の釣針４１、枝糸４２と幹糸４３はそれぞれ絡まらずそのまま釣り仕掛け４を釣針４１や幹糸４３が絡まらない状態で引き上げることができる。
【００１９】
なお、後述するように、容器本体１の立設壁１２の内側面に磁性体３を設けるときには、釣り仕掛け４を立設壁１２近辺にゆっくり下ろしながら釣針４１を磁性体３に吸着させるか、一度棒状部材２１に係止した釣針４１を手で摘んで磁性体３に吸着させることができるようになる。
【００２０】
棒状部材２１は、本実施形態において、一方向に向かって先端が尖った針状の形状を有しているが、他の実施形態において、先端が鋭利に尖っていない細長い円筒形又は角形状などの形状とすることもできる。また、複数の棒状部材２１は、本実施形態において、一定の配列規則に従って突設されているが、他の実施形態において必ずしも規則性を持たず幹糸４３が入る間隔を有する程度に隙間をあけて突設されるようにすることができる。
【００２１】
また、本実施形態において、棒状部材２１は、針状部材２の一部として、容器本体１とは別体に設けられ、基材２２を介して容器本体１の開口部１３に向かって突設するように設置されているが、他の実施形態において、容器本体１の底面１１から直接開口部１３に向かって突設するように一本一本植えたり、一体的に成型したりすることもできる。また、突起体２は、図２、図４に示すように、容器本体１の底面１１に複数配設することができ、接着剤などの固定手段を用いて底面１１に固設することが好ましい。固設することにより、移動の際に突起体２が落下するなどして紛失することもなく、水や海水等の液体を容器本体１に注いだときに、浮き上がることもなく安定的に釣り仕掛け４を係止することができる。
【００２２】
磁性体３は、容器本体１の立設壁１２の内側面に設けられ、釣針４１等の磁性を有する金属を引き付けることが可能である部材である。磁性体３が容器本体１の立設壁１２の内側面に設けられることにより、立設壁１２の内側面で磁性を有する釣針４１を吸着しているときに、使用者が誤って接触して引っ掛けてしまうなどの予期しない事故を防止するとともに、容器本体１の内部に水や海水等の液体を注いでいないときにおいても風が吹いても釣針４１が幹糸４３に絡まることがなく、再度釣り仕掛け４を使用するときに、釣針４１も離れ易く非常に簡便に釣りを再開することができる。
【００２３】
磁性体３は、本実施形態において、対向する立設壁１２のそれぞれに対向するように固設されているが、他の実施形態において、本実施形態のような外形が多角形の形状を有していれば一の立設壁１２に相当する部材に設けられてもよいし、対向する如何に関わらず二つ以上の複数を固設することができるし、外形が円形や楕円形等の曲面から構成されているときには立設壁１２に相当する部材の一定幅にわたって固設することができる。
【００２４】
磁性体３は、常磁性を有するものであることが好ましく、永久磁石であることがさらに好ましく、アルニコ磁石、ＫＳ鋼、ＭＫ鋼、フェライト磁石、サマリウムコバルト磁石、ネオジム磁石であることがもっとも好ましい。
【００２５】
このように、本願発明において、容器本体１、棒状部材２１等を有することにより、釣りの最中の一時的に使用していない状況のときに、棒状部材２１によって釣り仕掛け４が絡まらないように確実に保持することができ、そして、再度使用するときには釣針４１や幹糸４３が引き上げられると棒状部材２１から離れるために簡単に釣り仕掛け４を取り外すことができる。
【符号の説明】
【００２６】
１・・・容器本体
１１・・・底面
１２・・・立設壁
１３・・・開口部
２・・・突起体
２１・・・棒状部材
２２・・・基材
３・・・磁性体
４・・・釣り仕掛け
４１・・・釣針
４２・・・枝糸
４３・・・幹糸
Ｌ・・・液体
【図１】
2018198584.tif 000003
【図２】
2018198584.tif 000004
【図３】
2018198584.tif 000005
【図４】
2018198584.tif 000006